(57)【要約】【課題】ウインドウガラスが勝手に開いてしまうことを防止できるパワーウインドウ装置を提供すること。【解決手段】コントローラ２０は、電極７２の電位レベルに基づきパワーウインドウ装置１が溶液に浸漬された状態にある旨を認識した場合、トランジスタ２１，２２を共にＯＮ作動させるとともに、ＤＯＷＮ操作が行われていないとき、スイッチ８１をスイッチ開とし、スイッチ８３をスイッチ閉とする。すると、ＵＰ用リレー４０のコイル４１及びＤＯＷＮ用リレー５０のコイル５１が共に励磁される。そして、このとき、スイッチ８３により、コイル４１を通って流れてくる電流が電気抵抗８２を避けるようにバイパスされる。つまり、コイル４１が励磁されるべき状況下にあるとき、スイッチ８３により、コイル４１の励磁状態が補償されるようになっている。【選択図】図１
2008075260.tif 000002
【特許請求の範囲】
【請求項１】
第１のコイルが励磁されて且つ第２のコイルが消磁されたとき、ウインドウガラスの閉動作が行われるとともに、前記第２のコイルが励磁されて且つ前記第１のコイルが消磁されたとき、ウインドウガラスの開動作が行われ、前記第１のコイル及び前記第２のコイルが共に励磁又は共に消磁されたとき、ウインドウガラスの停止動作が行われるパワーウインドウ装置において、
前記第１のコイルが励磁されるべき状況下にあるとき、前記第１のコイルの励磁状態を補償する励磁補償手段を備えていることを特徴とするパワーウインドウ装置。
【請求項２】
請求項１に記載のパワーウインドウ装置において、
前記第１のコイルの両端間に設けられるとともに、前記第１のコイルが消磁されるべき状況下にあるとき、前記第１のコイルの上流側から前記第１のコイルに向かって流れてくる電流を前記第１のコイルを避けるようにバイパスすることによって前記第１のコイルを消磁させる第１の電流バイパス手段と、
前記第１のコイルの下流側に設けられるとともに、前記第１の電流バイパス手段によって前記電流がバイパスされたとき、前記第１の電流バイパス手段を含む電流経路の短絡を防止する短絡防止用電気抵抗とを備え、
前記励磁補償手段は、前記短絡防止用電気抵抗の両端間に設けられるとともに、前記第１のコイルが励磁されるべき状況下にあるとき、前記第１のコイルを通って流れてくる電流を前記短絡防止用電気抵抗を避けるようにバイパスする第２の電流バイパス手段であることを特徴とするパワーウインドウ装置。
【請求項３】
請求項２に記載のパワーウインドウ装置において、
前記第１の電流バイパス手段及び前記第２の電流バイパス手段の各々は、スイッチ閉となったとき、自身がバイパスすべき電流をバイパスするスイッチング手段であり、
前記第１のコイルが消磁されるべき状況下にあるとき、前記第２の電流バイパス手段がスイッチ開となったことを条件として、前記第１の電流バイパス手段がスイッチ閉とされることを特徴とするパワーウインドウ装置。
【発明の詳細な説明】
【技術分野】
【０００１】
本発明は、電気的駆動力に基づいてウインドウガラスを自動的に開閉させるパワーウインドウ装置に関する。
【背景技術】
【０００２】
一般的に、この種のパワーウインドウ装置が搭載された車両では、ドアに設けられたウインドウガラス開閉に関するスイッチ群が操作されたとき、そのスイッチ操作に応じた態様でモータ等の駆動源が駆動されるとともに、その電気的駆動力に基づいてウインドウガラスが自動的に開閉されるようになっている。
【０００３】
特許文献１には、水等の溶媒に電解質の溶質が溶けている溶液に浸漬された場合の動作に特徴を有するパワーウインドウ装置が開示されており、具体的には、同装置が溶液に浸漬された場合にあって、ウインドウガラスを開けるためのスイッチ操作が行われたとき、その操作に応じてウインドウガラスを確実に開けるようにする技術が開示されている。
【０００４】
ここで、このような開示技術に基づき、従来のパワーウインドウ装置について説明する。
図３に示すように、パワーウインドウ装置１００は、スイッチ群１０が操作されたとき、そのスイッチ操作に応じた態様でコントローラ２０によりリレー群３０が作動制御されるとともに、それによりモータ６０が回転駆動され、その回転駆動力（電気的駆動力）に基づいてウインドウガラスが自動的に開閉されるようになっている。
【０００５】
スイッチ群１０は、ウインドウガラスを閉める（上昇させる、つまりＵＰさせる）場合の操作として２段階に亘るＵＰ操作が可能であるとともに、ウインドウガラスを開ける（下降させる、つまりＤＯＷＮさせる）場合の操作として２段階に亘るＤＯＷＮ操作が可能となっている。
【０００６】
そして、１段階目のＵＰ操作（マニュアルＵＰ操作）が行われたとき、ＵＰスイッチ１１が単独でスイッチ閉となり、このとき、コントローラ２０は、ＵＰスイッチ１１がスイッチ閉となっている期間に亘って、トランジスタ２１をＯＮ作動させる。
【０００７】
一方、２段階目のＵＰ操作（オートＵＰ操作）が行われたとき、ＵＰスイッチ１１及びＡＵＴＯスイッチ１３が共にスイッチ閉となり、このとき、コントローラ２０は、オートＵＰ操作を解除するための操作が行われた場合等を除いて、ウインドウガラスが全閉位置に達するまで、トランジスタ２１をＯＮ作動させる。
【０００８】
従って、これらのＵＰ操作が行われた場合、ＵＰ用リレー４０のコイル４１が励磁される。つまり、これらの場合、ＵＰ用リレー４０の可動接点４２がマイナス側固定接点４３に電気的に接続される状態から同可動接点４２がプラス側固定接点４４に電気的に接続される状態に切り替わる。尚、このとき、ＤＯＷＮ用リレー５０の可動接点５２は、マイナス側固定接点５３に電気的に接続される。
【０００９】
その結果、バッテリのプラス側端子からプラス側固定接点４４、可動接点４２、モータ６０、可動接点５２、マイナス側固定接点５３を介してバッテリのマイナス側端子に電流が流れることによってモータ６０が正転駆動されるとともに、ウインドウガラスが閉動作（上昇、つまりＵＰ）される。
【００１０】
また、１段階目のＤＯＷＮ操作（マニュアルＤＯＷＮ操作）が行われたとき、ＤＯＷＮスイッチ１２が単独でスイッチ閉となり、このとき、コントローラ２０は、ＤＯＷＮスイッチ１２がスイッチ閉となっている期間に亘って、トランジスタ２２をＯＮ作動させる。
【００１１】
一方、２段階目のＤＯＷＮ操作（オートＤＯＷＮ操作）が行われたとき、ＤＯＷＮスイッチ１２及びＡＵＴＯスイッチ１３が共にスイッチ閉となり、このとき、コントローラ２０は、オートＤＯＷＮ操作を解除するための操作が行われた場合を除いて、ウインドウガラスが全開位置に達するまで、トランジスタ２２をＯＮ作動させる。
【００１２】
従って、これらのＤＯＷＮ操作が行われた場合、ＤＯＷＮ用リレー５０のコイル５１が励磁される。つまり、これらの場合、ＤＯＷＮ用リレー５０の可動接点５２がマイナス側固定接点５３に電気的に接続される状態から同可動接点５２がプラス側固定接点５４に電気的に接続される状態に切り替わる。尚、このとき、ＵＰ用リレー４０の可動接点４２は、マイナス側固定接点４３に電気的に接続される。
【００１３】
その結果、バッテリのプラス側端子からプラス側固定接点５４、可動接点５２、モータ６０、可動接点４２、マイナス側固定接点４３を介してバッテリのマイナス側端子に電流が流れることによってモータ６０が逆転駆動されるとともに、ウインドウガラスが開動作（下降、つまりＤＯＷＮ）される。
【００１４】
尚、ＵＰ操作及びＤＯＷＮ操作が共に行われていないとき、ＵＰスイッチ１１、ＤＯＷＮスイッチ１２、ＡＵＴＯスイッチ１３の三者がいずれもスイッチ開となり、このとき、コントローラ２０は、ＵＰ操作又はＤＯＷＮ操作が行われるまで、トランジスタ２１，２２を共にＯＦＦするようになっている。
【００１５】
従って、この場合、ＵＰ用リレー４０のコイル４１及びＤＯＷＮ用リレー５０のコイル５１が共に消磁されている。つまり、この場合、ＵＰ用リレー４０の可動接点４２がマイナス側固定接点４３に電気的に接続されるとともに、ＤＯＷＮ用リレー５０の可動接点５２がマイナス側固定接点５３に電気的に接続される。
【００１６】
その結果、モータ６０の両端それぞれがバッテリのマイナス側端子に電気的に接続されてそれらの間の電位差は０Ｖとなり、よってモータ６０に電流は流れないので、ウインドウガラスは閉動作も開動作もされることなく停止されたまま保持される（ウインドウ停止動作）。
【００１７】
ここで、パワーウインドウ装置１００が溶液に浸漬された状態にあるのか、或いはそのような状態にないのか、を特定し、それら個々に応じた態様でのウインドウガラスの開閉制御を実現するために、同装置１００には、２つの電極７１，７２を有する浸漬センサ７０が設けられている。即ち、パワーウインドウ装置１００が溶液に浸漬されたとき、電極７１，７２間に溶液が介在されることに伴って、浸漬前には電気的に接続されない電極７１，７２間が溶液を介して電気的に接続されることとなり、このとき、電極７２の電位を監視しているコントローラ２０により、同装置１００が溶液に浸漬された状態にある旨が認識されるようになっている。
【００１８】
そして、コントローラ２０は、このように認識したとき、トランジスタ２１，２２を共にＯＮ作動させるようになっている。従って、この場合、ＵＰ用リレー４０のコイル４１及びＤＯＷＮ用リレー５０のコイル５１が共に励磁される。つまり、この場合、ＵＰ用リレー４０の可動接点４２がプラス側固定接点４４に電気的に接続されるとともに、ＤＯＷＮ用リレー５０の可動接点５２がプラス側固定接点５４に電気的に接続される。
【００１９】
その結果、モータ６０の両端それぞれがバッテリのプラス側端子に電気的に接続されてそれらの間の電位差は０Ｖ（バッテリ電圧を１２Ｖとしたとき、１２−１２＝０）となり、よってモータ６０に電流は流れないので、ウインドウガラスは閉動作も開動作もされることなく停止されたまま保持される（浸漬時のウインドウ停止動作）。
【００２０】
一方、コントローラ２０は、電極７２の電位レベルに基づきパワーウインドウ装置１００が溶液に浸漬された状態にある旨を認識した場合、トランジスタ２１及びトランジスタ２２を共にＯＮ作動継続させるとともに、ＤＯＷＮ操作が行われたとき、コイル４１の両端間に設けられているスイッチ８１をスイッチ閉とする。尚、ＤＯＷＮ操作が行われていないとき、前記スイッチ８１は、スイッチ開となっている。
【００２１】
従って、パワーウインドウ装置１００が溶液に浸漬された状態にあって、ＤＯＷＮ操作が行われたとき、ＤＯＷＮ用リレー５０のコイル５１が励磁されるとともに、ＵＰ用リレー４０のコイル４１が消磁される。コイル４１が消磁される理由は、スイッチ８１がスイッチ閉となることによって、コイル４１の両端間がいわば強制的に短絡させられるとともに、それによりコイル４１の両端間の電位差が、同コイル４１を励磁させるのに必要な電圧を下回ることになるからである。
【００２２】
つまり、パワーウインドウ装置１００が溶液に浸漬された状態にあって、ＤＯＷＮ操作が行われたとき、ＤＯＷＮ用リレー５０の可動接点５２がプラス側固定接点５４に電気的に接続されるとともに、ＵＰ用リレー４０の可動接点４２がマイナス側固定接点４３に電気的に接続される。
【００２３】
その結果、バッテリのプラス側端子からプラス側固定接点５４、可動接点５２、モータ６０、可動接点４２、マイナス側固定接点４３を介してバッテリのマイナス側端子に電流が流れることによってモータ６０が逆転駆動されるとともに、ウインドウガラスが閉動作（下降、つまりＤＯＷＮ）される（浸漬時のウインドウ閉動作）。
【００２４】
尚、このとき、バッテリのプラス側端子からスイッチ８１、電気抵抗８２、トランジスタ２１を介してバッテリのマイナス側端子に電流が流れるのであるが、ここに電気抵抗８２の存在により、該電流が制限されており、よって、かかる電流経路にあって、いわゆるデッドショートが防止されるように配慮されている。
【特許文献１】特開平１１−７１９６０号公報
【発明の開示】
【発明が解決しようとする課題】
【００２５】
ここで、従来のパワーウインドウ装置１００が溶液に浸漬されるとともに、これによりバッテリのプラス側端子とノード９０（コイル４１と電気抵抗８２との中間位置）との間にリーク抵抗９１が発生する場合を想定する。そして、このようにパワーウインドウ装置１００が溶液に浸漬されてリーク抵抗９１が発生した場合であっても、ＤＯＷＮ操作が行われていないとき、パワーウインドウ装置１００としては、ウインドウガラスが勝手に開かないことが望ましい。
【００２６】
しかしながら、従来のパワーウインドウ装置１００では、同装置１００が溶液に浸漬された場合、ＤＯＷＮ操作が行われていないにも拘わらず、ウインドウガラスが勝手に開いてしまう虞がある。以下、その理由について説明する。
【００２７】
即ち、パワーウインドウ装置１００が溶液に浸漬された場合、トランジスタ２１及びトランジスタ２２はＯＮ作動されるとともに、ＤＯＷＮ操作が行われていないとき、スイッチ８１はスイッチ開である。従って、リーク抵抗９１が存在しないとき、コイル４１が励磁されるとともに、このとき、コイル５１も励磁されるので、モータ６０は回転されず、よってウインドウガラスは停止されたまま保持される（＝上記した浸漬時のウインドウ停止動作）。
【００２８】
これに対して、リーク抵抗９１が存在するとき、バッテリのプラス側端子からリーク抵抗９１を介してノード９０にリーク電流が流れ込み、よって電気抵抗８２、トランジスタ２１を介してバッテリのマイナス側端子に流れる電流が増大する。
【００２９】
ここで、ノード９０の電圧は、トランジスタ２１のコレクタ・エミッタ間電圧と電気抵抗８２の両端電圧とを加えたものに等しく、その加算後の電圧をバッテリ電圧から減じた減算後の電圧がコイル４１に印加される。従って、リーク抵抗９１が存在するとき、上記のように電気抵抗８２に流れる電流が増大する分だけ、その電気抵抗８２の両端電圧が増大するとともに、それによりノード９０の電位が上昇するので、前記減算後の電圧は低いものとなり、その減算後の低い電圧がコイル４１に印加されることとなる。
【００３０】
そして、このような減算後の低い電圧が、コイル４１を励磁させるのに必要な電圧を下回るとき、同コイル４１は、本来励磁されなければならないところ、消磁されるとともに、このとき、コイル５１については励磁されているので、モータ６０は逆回転され、よってウインドウガラスが勝手に開いてしまうこととなる。
【００３１】
本発明は、このような問題点に着目してなされたものであって、その目的は、ウインドウガラスが勝手に開いてしまうことを防止できるパワーウインドウ装置を提供することにある。
【課題を解決するための手段】
【００３２】
上記の目的を達成するために、請求項１に記載の発明は、第１のコイルが励磁されて且つ第２のコイルが消磁されたとき、ウインドウガラスの閉動作が行われるとともに、前記第２のコイルが励磁されて且つ前記第１のコイルが消磁されたとき、ウインドウガラスの開動作が行われ、前記第１のコイル及び前記第２のコイルが共に励磁又は共に消磁されたとき、ウインドウガラスの停止動作が行われるパワーウインドウ装置において、前記第１のコイルが励磁されるべき状況下にあるとき、前記第１のコイルの励磁状態を補償する励磁補償手段を備えていることをその要旨としている。
【００３３】
同構成によると、第１のコイルが励磁されるべき状況下にあるとき、励磁補償手段により、第１のコイルの励磁状態が補償される。このため、前記状況下において、第２のコイルが消磁されるとき、ウインドウガラスの閉動作が行われるとともに、前記状況下において、第２のコイルが励磁されるとき、ウインドウガラスの停止動作が行われる。つまり、いずれにしろ、ウインドウガラスの開動作は行われない。従って、ウインドウガラスが勝手に開いてしまうことを防止できる。
【００３４】
請求項２に記載の発明は、請求項１に記載のパワーウインドウ装置において、前記第１のコイルの両端間に設けられるとともに、前記第１のコイルが消磁されるべき状況下にあるとき、前記第１のコイルの上流側から前記第１のコイルに向かって流れてくる電流を前記第１のコイルを避けるようにバイパスすることによって前記第１のコイルを消磁させる第１の電流バイパス手段と、前記第１のコイルの下流側に設けられるとともに、前記第１の電流バイパス手段によって前記電流がバイパスされたとき、前記第１の電流バイパス手段を含む電流経路の短絡を防止する短絡防止用電気抵抗とを備え、前記励磁補償手段は、前記短絡防止用電気抵抗の両端間に設けられるとともに、前記第１のコイルが励磁されるべき状況下にあるとき、前記第１のコイルを通って流れてくる電流を前記短絡防止用電気抵抗を避けるようにバイパスする第２の電流バイパス手段であることをその要旨としている。
【００３５】
同構成によると、第１のコイルが励磁されるべき状況下にあるとき、第２の電流バイパス手段により、第１のコイルを通って流れてくる電流が短絡防止用電気抵抗を避けるようにバイパスされる。このため、前記状況下において、第１のコイルに印加される電圧が、第１のコイルを励磁させるのに必要な電圧を下回ることが回避される。この理由は、前記電流が短絡防止用電気抵抗を避けるようにバイパスされることから、短絡防止用電気抵抗の両端電圧を０として扱っても差し支えないからである。従って、同構成によれば、第１のコイルが励磁されるべき状況下にあるとき、その第１のコイルを励磁させるのに必要な電圧が同第１のコイルに印加されることとなり、よって第１のコイルの励磁状態を補償できるから、ウインドウガラスが勝手に開いてしまうことを防止できる。
【００３６】
請求項３に記載の発明は、請求項２に記載のパワーウインドウ装置において、前記第１の電流バイパス手段及び前記第２の電流バイパス手段の各々は、スイッチ閉となったとき、自身がバイパスすべき電流をバイパスするスイッチング手段であり、前記第１のコイルが消磁されるべき状況下にあるとき、前記第２の電流バイパス手段がスイッチ開となったことを条件として、前記第１の電流バイパス手段がスイッチ閉とされることをその要旨としている。
【００３７】
同構成によると、第１のコイルが消磁されるべき状況下にあるとき、第２の電流バイパス手段がスイッチ開となったことを条件として、第１の電流バイパス手段がスイッチ閉とされる。つまり、前記状況下にあるとき、まず短絡防止用電気抵抗の機能が有効化された上で、第１の電流バイパス手段を含む電流経路に電流が流れることになり、よって同電流経路の短絡を防止することができる。
【発明の効果】
【００３８】
本発明は、以上のように構成されているため、次のような効果を奏する。
本発明によれば、ウインドウガラスが勝手に開いてしまうことを防止できる。
【発明を実施するための最良の形態】
【００３９】
以下、本発明を自動車のパワーウインドウ装置に具体化した一実施形態を説明する。尚、図１に示される本実施形態のパワーウインドウ装置１が、図３に示される従来のパワーウインドウ装置１００と異なる点は、電気抵抗８２の両端間にスイッチ８３が設けられている点である。
【００４０】
そして、本実施形態においてコントローラ２０は、電極７２の電位レベルに基づきパワーウインドウ装置１が溶液に浸漬された状態にある旨を認識した場合、トランジスタ２１，２２を共にＯＮ作動させるとともに、ＤＯＷＮ操作が行われていないとき、スイッチ８１をスイッチ開とし、スイッチ８３をスイッチ閉とする。
【００４１】
尚、本実施形態においてコントローラ２０は、スイッチ８１をスイッチ開とし、スイッチ８３をスイッチ閉とするに際して、スイッチ８１をスイッチ開とした後、スイッチ８３をスイッチ閉とする。このため、同構成によると、これよりも前の段階にあってスイッチ８１がスイッチ閉のとき、スイッチ８１を通って流れてくる電流が電気抵抗８２により制限されるとともに、次いで、スイッチ８１がスイッチ開とされたとき、コイル４１を通って流れてくる電流が電気抵抗８２に流れ、その後、スイッチ８３がスイッチ閉とされたとき、コイル４１を通って流れてくる電流が電気抵抗８２を避けるようにバイパスされる。従って、いずれの段階であれ、電流経路がデッドショートされることがないので好適である。
【００４２】
或いは、このような構成に代えて、スイッチ８１のスイッチ開及びスイッチ８３のスイッチ閉を順不問とし、この場合、スイッチ８１がスイッチ開且つスイッチ８３がスイッチ閉となったことを条件として、トランジスタ２１，２２を共にＯＮ作動させる構成を採用してもよい。
【００４３】
さて、上記のようにトランジスタ２１，２２が共にＯＮ作動されるとともに、スイッチ８１がスイッチ開とされ、スイッチ８３がスイッチ閉とされたとき、ＵＰ用リレー４０のコイル４１及びＤＯＷＮ用リレー５０のコイル５１が共に励磁される。
【００４４】
ここで、このときのコイル４１を含む電流経路に着目してみると、この電流経路では、バッテリのプラス側端子からコイル４１、スイッチ８３、トランジスタ２１を介してバッテリのマイナス側端子に電流が流れる。つまり、この場合、電気抵抗８２には殆ど電流が流れない。別の言い方をすると、コイル４１が励磁されるべき状況下にあるとき、スイッチ８３により、コイル４１を通って流れてくる電流が電気抵抗８２を避けるようにバイパスされるようになっている。このため、前記状況下において、コイル４１に印加される電圧が、コイル４１を励磁させるのに必要な電圧を下回ることが回避される。この理由は、前記電流が電気抵抗８２を避けるようにバイパスされることから、電気抵抗８２の両端電圧を０として扱っても差し支えないからである。
【００４５】
即ち、本実施形態では、コイル４１が励磁されるべき状況下にあるとき、電気抵抗８２に電流が流れるようにするのではなく、スイッチ８３に電流が流れるようにすることによって、電気抵抗８２の両端電圧を略０とし、それによりコイル４１を励磁させるのに必要な電圧が確保されるようになっている。つまり、前記状況下にあるとき、コイル４１の励磁状態が補償されるようになっている。
【００４６】
尚、ノード９０の電圧は、トランジスタ２１のコレクタ・エミッタ間電圧（＝約０．１Ｖ）に等しく、つまりはＧＮＤレベル（＝０Ｖ）と同じとして扱っても差し支えない。従って、前記状況下において、コイル４１の両端間には、バッテリ電圧（＝１２Ｖ）からトランジスタ２１のコレクタ・エミッタ間電圧（＝約０．１Ｖ）を減じた電圧、つまりバッテリ電圧に略等しい電圧（＝約１１．９Ｖ）、換言すればコイル４１を励磁させるのに十分な電圧が印加されることになる。この点、リーク抵抗９１が存在しない場合のみならず、リーク抵抗９１が存在してそれを介してノード９０にリーク電流が流れ込むような場合でも同じことが言える。
【００４７】
その結果、本実施形態では、パワーウインドウ装置１が溶液に浸漬された場合にあって、ＤＯＷＮ操作が行われていないとき、ＵＰ用リレー４０のコイル４１及びＤＯＷＮ用リレー５０のコイル５１が共に励磁されたまま好適に維持されるので、モータ６０は回転されず、よってウインドウガラスの停止動作が行われる。つまり、このとき、ウインドウガラスの開動作は行われない。
【００４８】
次に、コントローラ２０は、電極７２の電位レベルに基づきパワーウインドウ装置１が溶液に浸漬された状態にある旨を認識した場合、トランジスタ２１，２２を共にＯＮ作動させるとともに、ＤＯＷＮ操作が行われたとき、スイッチ８３をスイッチ開とし、スイッチ８１をスイッチ閉とする。
【００４９】
尚、本実施形態においてコントローラ２０は、スイッチ８３をスイッチ開とし、スイッチ８１をスイッチ閉とするに際して、スイッチ８３をスイッチ開とした後、スイッチ８１をスイッチ閉とする。このため、同構成によると、これよりも前の段階にあってスイッチ８３がスイッチ閉のとき、コイル４１を通って流れてくる電流が電気抵抗８２を避けるようにバイパスされるとともに、次いで、スイッチ８３がスイッチ開とされたとき、コイル４１を通って流れてくる電流が電気抵抗８２に流れ、その後、スイッチ８１がスイッチ閉とされたとき、スイッチ８１を通って流れてくる電流が電気抵抗８２により制限される。従って、いずれの段階であれ、電流経路がデッドショートされることがないので好適である。
【００５０】
或いは、このような構成に代えて、スイッチ８３のスイッチ開及びスイッチ８１のスイッチ閉を順不問とし、この場合、スイッチ８３がスイッチ開且つスイッチ８１がスイッチ閉となったことを条件として、トランジスタ２１，２２を共にＯＮ作動させる構成を採用してもよい。
【００５１】
さて、上記のようにトランジスタ２１，２２が共にＯＮ作動されるとともに、スイッチ８３がスイッチ開とされ、スイッチ８１がスイッチ閉とされたとき、ＤＯＷＮ用リレー５０のコイル５１が励磁されるとともに、ＵＰ用リレー４０のコイル４１が消磁される。コイル４１が消磁される理由は、背景技術の欄で既に説明した通りである。
【００５２】
その結果、パワーウインドウ装置１が溶液に浸漬された状態にあって、ＤＯＷＮ操作が行われたとき、モータ６０が逆転駆動されるとともに、ウインドウガラスが閉動作（下降、つまりＤＯＷＮ）される。この点、背景技術の欄で既に説明した浸漬時のウインドウ閉動作と同じである。
【００５３】
尚、このとき、バッテリのプラス側端子からスイッチ８１、電気抵抗８２、トランジスタ２１を介してバッテリのマイナス側端子に電流が流れるのであるが、ここに電気抵抗８２の存在により、該電流が制限されており、よって、かかる電流経路にあって、いわゆるデッドショートが防止されるように配慮されている。この点についても、背景技術の欄で既に説明した内容と同じである。
【００５４】
尚、本実施形態においてコイル４１は、第１のコイルに相当するとともに、コイル５１は、第２のコイルに相当する。そして、スイッチ８１は、コイル４１の両端間に設けられるとともに、コイル４１が消磁されるべき状況下にあるとき、コイル４１の上流側からコイル４１に向かって流れてくる電流をコイル４１を避けるようにバイパスすることによってコイル４１を消磁させる第１の電流バイパス手段に相当する。そして、電気抵抗８２は、コイル４１の下流側に設けられるとともに、スイッチ８１によって前記電流がバイパスされたとき、スイッチ８１を含む電流経路の短絡を防止する短絡防止用電気抵抗に相当する。
【００５５】
一方、スイッチ８３は、コイル４１が励磁されるべき状況下にあるとき、コイル４１の励磁状態を補償する励磁補償手段に相当する。加えて、スイッチ８３は、コイル４１が励磁されるべき状況下にあるとき、コイル４１を通って流れてくる電流を電気抵抗８２を避けるようにバイパスする第２の電流バイパス手段に相当する。最後に、スイッチ８１及びスイッチ８３の各々は、スイッチ閉となったとき、自身がバイパスすべき電流をバイパスするスイッチング手段に相当する。
【００５６】
以上、詳述したように本実施形態によれば、次のような作用、効果を得ることができる。
（１）コイル４１が励磁されるべき状況下にあるとき、スイッチ８３により、コイル４１の励磁状態が補償される。このため、前記状況下において、コイル５１が消磁されるとき、ウインドウガラスの閉動作が行われるとともに、前記状況下において、コイル５１が励磁されるとき、ウインドウガラスの停止動作が行われる。つまり、いずれにしろ、ウインドウガラスの開動作は行われない。従って、ウインドウガラスが勝手に開いてしまうことを防止できる。
【００５７】
（２）コイル４１が励磁されるべき状況下にあるとき、スイッチ８３により、コイル４１を通って流れてくる電流が電気抵抗８２を避けるようにバイパスされる。このため、前記状況下において、コイル４１に印加される電圧が、コイル４１を励磁させるのに必要な電圧を下回ることが回避される。この理由は、前記電流が電気抵抗８２を避けるようにバイパスされることから、電気抵抗８２の両端電圧を０として扱っても差し支えないからである。従って、本実施形態の構成によれば、コイル４１が励磁されるべき状況下にあるとき、そのコイル４１を励磁させるのに必要な電圧が同コイル４１に印加されることとなり、よってコイル４１の励磁状態を補償できるから、ウインドウガラスが勝手に開いてしまうことを防止できる。
【００５８】
（３）コイル４１が消磁されるべき状況下にあるとき、スイッチ８３がスイッチ開となったことを条件として、スイッチ８１がスイッチ閉とされる。つまり、前記状況下にあるとき、まず電気抵抗８２の機能が有効化された上で、スイッチ８１を含む電流経路に電流が流れることになり、よって同電流経路の短絡を防止することができる。
【００５９】
（４）ウインドウガラスが全閉位置にある状態で、パワーウインドウ装置１が溶液に浸漬されるとともに、それによりリーク抵抗９１が存在するようになった場合にあって、ＵＰ動作及びＤＯＷＮ動作が共に行われていないとき、ウインドウガラスは全閉位置で保持される。従って、パワーウインドウ装置１がこのような状況下にある場合において、ウインドウガラスが勝手に開いてしまうことを防止できる。
【００６０】
（５）パワーウインドウ装置１が溶液に浸漬されるとともに、それによりリーク抵抗９１が存在するようになった場合にあって、ＤＯＷＮ操作が行われたとき、ウインドウガラスの開動作が行われる。従って、パワーウインドウ装置１がこのような状況下にある場合において、ＤＯＷＮ操作に応じてウインドウガラスを開けることができる。
【００６１】
尚、前記実施形態は、次のように変更して具体化することも可能である。
・一般的に、コントローラ２０を始めとするＵＰ用リレー４０、スイッチ８１、電気抵抗８２、スイッチ８３、トランジスタ２１等の電装品は、１枚のプリント基板に実装されるとともに、それらはパターンの引き回しにより電気的に接続されている。ここで、このようなパワーウインドウ装置１において、コイル４１の下流（ノード９０）近くにプラス側電源端子用のランドが存在しているとき、そのランドとノード９０との間にリーク抵抗９１が発生し易くなる。しかし、前記実施形態によれば、このようなパターンの引き回しとなっている場合でも、ウインドウガラスが勝手に開いてしまうことを防止できる。
【００６２】
・スイッチ８１やスイッチ８３は、コントローラ２０により電気的に制御されるものに限定されない。即ち、ＤＯＷＮ操作に伴ってＤＯＷＮスイッチ１２がスイッチ閉となることに機械的に連動して、先にスイッチ８３がスイッチ開になるとともに、後でスイッチ８１がスイッチ閉となるように構成されてもよい。
【００６３】
・パワーウインドウ装置１が溶液に浸漬されるとともに、それにより電極７１，７２間が溶液を介して電気的に接続された場合において、ＵＰ用リレー４０のコイル４１及びＤＯＷＮ用リレー５０のコイル５１を共に励磁させる手法は、前記実施形態の態様に限定されない。つまり、上記場合において両コイル４１，５１を共に励磁させる手法は、コントローラ２０がトランジスタ２１，２２を共にＯＮ作動させる手法に限定されない。別の言い方をすると、コントローラ２０による制御に依存することなく、上記場合に両コイル４１，５１が共に励磁される構成を採用してもよい。
【００６４】
ただし、パワーウインドウ装置１が溶液に浸漬されておらず、よって電極７１，７２間が電気的に接続されていない場合については、前記実施形態と同様に、ＵＰ操作／ＤＯＷＮ操作に端を発してコントローラ２０によりトランジスタ２１，２２が制御されることに基づきコイル４１，５１が励磁／消磁されることとする。
【００６５】
即ち、図２に示すように、電極７２の下流側にトランジスタ２３等のスイッチング手段を設けるとともに、電極７１，７２間が溶液を介して電気的に接続されたとき、そのトランジスタ２３がＯＮ作動するようにし、それによりコイル４１，５１が共に励磁されるようにしてもよい。
【００６６】
・参考までに記載するが、コイル５１の両端間にスイッチ８１のような第１の電流バイパス手段を設けるとともに、コイル５１の下流側に電気抵抗８２のような短絡防止用電気抵抗を設け、さらに電気抵抗８２の両端間にスイッチ８３のような第２の電流バイパス手段を設けてもよい。このように構成すれば、ウインドウガラスが勝手に閉まってしまうことを防止できる。
【００６７】
次に、上記実施形態及び別例から把握できる技術的思想について記載する。
〔１〕第１のコイルが励磁されて且つ第２のコイルが消磁されたとき、ウインドウガラスの閉動作が行われるとともに、前記第２のコイルが励磁されて且つ前記第１のコイルが消磁されたとき、ウインドウガラスの開動作が行われ、前記第１のコイル及び前記第２のコイルが共に励磁又は共に消磁されたとき、ウインドウガラスの停止動作が行われるパワーウインドウ装置において、
前記第２のコイルが励磁されるべき状況下にあるとき、前記第２のコイルの励磁状態を補償する励磁補償手段を備えていることを特徴とするパワーウインドウ装置。
【００６８】
同構成によると、第２のコイルが励磁されるべき状況下にあるとき、励磁補償手段により、第２のコイルの励磁状態が補償される。このため、前記状況下において、第１のコイルが消磁されるとき、ウインドウガラスの開動作が行われるとともに、前記状況下において、第１のコイルが励磁されるとき、ウインドウガラスの停止動作が行われる。つまり、いずれにしろ、ウインドウガラスの閉動作は行われない。従って、ウインドウガラスが勝手に閉まってしまうことを防止できる。
【００６９】
〔２〕技術的思想〔１〕に記載のパワーウインドウ装置において、
前記第２のコイルの両端間に設けられるとともに、前記第２のコイルが消磁されるべき状況下にあるとき、前記第２のコイルの上流側から前記第２のコイルに向かって流れてくる電流を前記第２のコイルを避けるようにバイパスすることによって前記第２のコイルを消磁させる第１の電流バイパス手段と、
前記第２のコイルの下流側に設けられるとともに、前記第１の電流バイパス手段によって前記電流がバイパスされたとき、前記第１の電流バイパス手段を含む電流経路の短絡を防止する短絡防止用電気抵抗とを備え、
前記励磁補償手段は、前記短絡防止用電気抵抗の両端間に設けられるとともに、前記第２のコイルが励磁されるべき状況下にあるとき、前記第２のコイルを通って流れてくる電流を前記短絡防止用電気抵抗を避けるようにバイパスする第２の電流バイパス手段であることを特徴とするパワーウインドウ装置。
【００７０】
同構成によると、第２のコイルが励磁されるべき状況下にあるとき、第２の電流バイパス手段により、第２のコイルを通って流れてくる電流が短絡防止用電気抵抗を避けるようにバイパスされる。このため、前記状況下において、第２のコイルに印加される電圧が、第２のコイルを励磁させるのに必要な電圧を下回ることが回避される。この理由は、前記電流が短絡防止用電気抵抗を避けるようにバイパスされることから、短絡防止用電気抵抗の両端電圧を０として扱っても差し支えないからである。従って、同構成によれば、第２のコイルが励磁されるべき状況下にあるとき、その第２のコイルを励磁させるのに必要な電圧が同第２のコイルに印加されることとなり、よって第２のコイルの励磁状態を補償できるから、ウインドウガラスが勝手に閉まってしまうことを防止できる。
【００７１】
〔３〕技術的思想〔２〕に記載のパワーウインドウ装置において、
前記第１の電流バイパス手段及び前記第２の電流バイパス手段の各々は、スイッチ閉となったとき、自身がバイパスすべき電流をバイパスするスイッチング手段であり、
前記第２のコイルが消磁されるべき状況下にあるとき、前記第２の電流バイパス手段がスイッチ開となったことを条件として、前記第１の電流バイパス手段がスイッチ閉とされることを特徴とするパワーウインドウ装置。
【００７２】
同構成によると、第２のコイルが消磁されるべき状況下にあるとき、第２の電流バイパス手段がスイッチ開となったことを条件として、第１の電流バイパス手段がスイッチ閉とされる。つまり、前記状況下にあるとき、まず短絡防止用電気抵抗の機能が有効化された上で、第１の電流バイパス手段を含む電流経路に電流が流れることになり、よって同電流経路の短絡を防止することができる。
【図面の簡単な説明】
【００７３】
【図１】本実施形態のパワーウインドウ装置の構成を示す電気回路図。
【図２】他の実施形態のパワーウインドウ装置の構成を示す電気回路図。
【図３】従来のパワーウインドウ装置の構成を示す電気回路図。
【符号の説明】
【００７４】
１…パワーウインドウ装置、４１…コイル（第１のコイル）、５１…コイル（第２のコイル）、８１…スイッチ（第１の電流バイパス手段、スイッチング手段）、８２…電気抵抗（短絡防止用電気抵抗）、８３…スイッチ（励磁補償手段、第２の電流バイパス手段、スイッチング手段）。
【図１】
2008075260.tif 000003
【図２】
2008075260.tif 000004
【図３】
2008075260.tif 000005